(57)【要約】【課題】雨から身体の一部が濡れることを防止するのにより効果的な傘の構造を提供する。【解決手段】傘１０は、伸縮性を有する柄軸２０、柄軸２０の下端部に設けられた握柄３０、柄軸２０上をスライド可能に取り付けられたろくろ２２、柄軸２０に枢設された複数の第１の複段式骨組４０、ろくろ２２に枢設された複数の第１の複段式骨組４０より長さが短い複数の第２の複段式骨組６０、第１の複段式骨組４０、第２の複段式骨組６０に張設された生地８０を備えている。【選択図】図１
0003149240.tif 000002
【実用新案登録請求の範囲】
【請求項１】
柄軸と、
柄軸上を上下にスライド可能なろくろと、
前記柄軸及び前記ろくろから第１の方向又は第２の方向の方面に延びる複数の第１の複段式骨組と、
前記柄軸及び前記ろくろから第３の方向又は第４の方向の方面に延びる複数の第２の複段式骨組と、
前記第１の複段式骨組と前記第２の複段式骨組とに張られた生地と、を備え、
傘を拡げた際に、前記第１の複段式骨組は前記第２の複段式骨組よりも長さが長く、
前記第１の複段式骨組のそれぞれは、前記柄軸と前記ろくろに枢設された第１の内骨組の部分と、前記第１の内骨組の部分に枢設された第１の中骨組の部分と、前記第１の中骨組の部分に枢設された第１の外骨の部分と、第１の半球状外骨とを備え、当該第１の半球状外骨は第１の半球状外骨の末端で前記生地に取り付けられ、
前記第２の複段式骨組のそれぞれは、前記柄軸、前記ろくろに枢設された第２の内骨組の部分と、第２の外骨の部分と、第２の半球状外骨とを備え、当該第２の半球状外骨は第２の半球状外骨の末端で前記生地に取り付けられ、前記第１の半球状外骨及び第２の半球状外骨は略同一の長さであり、
前記第１の内骨組の部分は、前記柄軸に枢設された第１の節骨と、前記ろくろ及び前記第１の節骨の中間に枢設された第１の支骨と、を含み、
前記第２の内骨組の部分は、前記柄軸に枢設された第２の節骨と、前記ろくろ及び前記第２の節骨の中間に枢設された第２の支骨と、を含み、
傘を拡げた際と畳んだ際に、前記第１の複段式骨組の先端と前記第２の複段式骨組の先端とが同一平面上にある傘。
【請求項２】
前記第１の複段式骨組は縦長構造を形成し、前記傘は楕円形状を有する請求項１に記載の傘。
【請求項３】
前記柄軸に設けられた握柄を備え、当該握柄は前記第１の複段式骨組の縦長構造に対応する縦長形状を有する請求項２に記載の傘。
【請求項４】
前記第１の方向は前方であり、前記第２の方向は後方である請求項２に記載の傘。
【請求項５】
前記柄軸は伸縮構造を有する請求項１に記載の傘。
【請求項６】
前記第１の複段式骨組のそれぞれは少なくとも３つの骨組部分を備え、前記第２の複段式骨組のそれぞれは少なくとも２つの骨組部分を備える請求項１に記載の傘。
【考案の詳細な説明】
【技術分野】
【０００１】  本考案は、傘に関する。特に、楕円形の傘の構造に関する。
【背景技術】
【０００２】  すでに何年もの間、折り畳み傘は使用されている。一般的に今日生産販売されている傘は伸縮機能付の柄軸、柄軸上端部に枢設された複数の多段階構造からなる骨組、柄軸上で上下にスライド可能に取り付けられたろくろ、ろくろから前記骨組へと外側に伸びる複数の支持骨、骨組に張られた円い形の生地によって構成されている。【０００３】  一般的な折り畳み傘の主な問題は歩行者特に歩幅の広い人が雨によって濡れることを充分に防げないことである。一般的な折り畳み傘を使用する人の足は前後に効果的な防護がないために濡れてしまう。【０００４】  雨によって濡れることを効果的に防ぐため、傘全体の構造が大きくなった。しかし、そのような傘の問題は大きくて持ち運びが不便な点である。また、大きい傘が両脇に拡がるため、混雑した中で移動することが困難である。【０００５】  本考案に関係があると思われる発明、考案は下記のものである。
米国特許第５２６３５０５号（Ｙｅｏｍ）、米国特許第４４７４２００号（Ｋｉｄａ）、米国特許第３４１１９２号（Ｗｅｂｅｒ）、米国特許第４４７４２０１号（Ｋｉｄａ）、米国特許第５５０５２２１号（Ｇａｏ）、米国特許第３８３７３５２（Ｗｅｂｅｒ）、米国特許第６４１２５０６号（Ｒｅｅｓｅ）、米国特許第３０４２０５５号（Ｔｏｄｏｒｏｖｉｃ）、米国特許第５３５５９０２号（Ｓｃｈｌａｎｇｅｎ）、米国特許第２９４８２８９号（Ｏｗｃｚａｒｅｋ）、米国特許第５２０１３３２号（Ｗｕ）、米国特許第５７２５００４号（Ｍｏｕｌｄｅｒ）、米国特許第５６４２７４７号（Ｒｉｚｚｏｔｔｉ）、米国特許第２００２−００２３６７２号（Ｒｅｅｓｅ）
これらの発明はその目的にはふさわしいが、雨によって濡れてしまうことを防ぐことと使用しやすさの面では適していない。【０００６】  傘を拡げたときに楕円形の形状になるものは様々なものが提案されている。
例えば、下記特許文献１、特許文献２では、主骨格のついたスライド部と主軸の中部から下部をスライドする中枢からなる傘を提案している。このスライド部を持つ主骨格の構造は生産を複雑にするだけでなく、傘の重量が増えることにもつながる。さらに、特許文献１、２で提案されている傘を完全に閉じたものを拡げる方法は、使用者がハンドル側から柄軸上端部へ向けて引っ張らなければならず、それは扱いにくく非直感的である。特許文献１、２で提案されている傘を閉じるとき、外側へ畳まれる生地が余ってしまい、とても見た目が悪く扱いにくい。【０００７】  下記特許文献３で提案されている傘は、はめ込み式の半球状の骨組と特許文献１、２で提案されている傘に似た複数のろくろから構成されている。その結果、特許文献３は前述した特許文献１、２と同じような問題を抱えている。それは複雑な製造工程と重量増加、外側へ畳まれる生地が余るということ、そして見た目が悪く扱いにくいということである。
【特許文献１】米国特許第４４７４２００号
【特許文献２】米国特許第４４７４２０１号
【特許文献３】米国特許第３８３７３５２号
【考案の開示】
【考案が解決しようとする課題】
【０００８】  先行文献で提案されている傘には前述の不便性が備わっている。本考案の課題は上記した点に鑑み、従来の傘の尚不便な点を改善し、それによって使用者が雨から濡れるのを防ぐことと使用しやすさを特徴とした傘を提供することである。
【課題を解決するための手段】
【０００９】  請求項１に記載の考案によれば、
柄軸と、
柄軸上を上下にスライド可能なろくろと、
前記柄軸及び前記ろくろから第１の方向又は第２の方向の方面に延びる複数の第１の複段式骨組と、
前記柄軸及び前記ろくろから第３の方向又は第４の方向の方面に延びる複数の第２の複段式骨組と、
前記第１の複段式骨組と前記第２の複段式骨組とに張られた生地と、を備え、
傘を拡げた際に、前記第１の複段式骨組は前記第２の複段式骨組よりも長さが長く、
前記第１の複段式骨組のそれぞれは、前記柄軸と前記ろくろに枢設された第１の内骨組の部分と、前記第１の内骨組の部分に枢設された第１の中骨組の部分と、前記第１の中骨組の部分に枢設された第１の外骨の部分と、第１の半球状外骨とを備え、当該第１の半球状外骨は第１の半球状外骨の末端で前記生地に取り付けられ、
前記第２の複段式骨組のそれぞれは、前記柄軸、前記ろくろに枢設された第２の内骨組の部分と、第２の外骨の部分と、第２の半球状外骨とを備え、当該第２の半球状外骨は第２の半球状外骨の末端で前記生地に取り付けられ、前記第１の半球状外骨及び第２の半球状外骨は略同一の長さであり、
前記第１の内骨組の部分は、前記柄軸に枢設された第１の節骨と、前記ろくろ及び前記第１の節骨の中間に枢設された第１の支骨と、を含み、
前記第２の内骨組の部分は、前記柄軸に枢設された第２の節骨と、前記ろくろ及び前記第２の節骨の中間に枢設された第２の支骨と、を含み、
傘を拡げた際と畳んだ際に、前記第１の複段式骨組の先端と前記第２の複段式骨組の先端とが同一平面上にある傘が提供される。【００１０】  請求項２に記載の考案によれば、
前記第１の複段式骨組は縦長構造を形成し、前記傘は楕円形状を有する請求項１に記載の傘が提供される。【００１１】  請求項３に記載の考案によれば、
前記柄軸に設けられた握柄を備え、当該握柄は前記第１の複段式骨組の縦長構造に対応する縦長形状を有する請求項２に記載の傘が提供される。【００１２】  請求項４に記載の考案によれば、
前記第１の方向は前方であり、前記第２の方向は後方である請求項２に記載の傘が提供される。【００１３】  請求項５に記載の考案によれば、
前記柄軸は伸縮構造を有する請求項１に記載の傘が提供される。【００１４】  請求項６に記載の考案によれば、
前記第１の複段式骨組のそれぞれは少なくとも３つの骨組部分を備え、前記第２の複段式骨組のそれぞれは少なくとも２つの骨組部分を備える請求項１に記載の傘が提供される。
【考案の効果】
【００１５】  本考案によれば、使いやすく、持ち運びしやすく、小さな形状の傘を提供することが可能である。さらに、傘の形状を、使用者の身体の前後を雨、みぞれ、または雪で濡れることを防ぐ形状とすることができる。また、使用者の足下前後が雨から濡れることを防ぐ傘を提供できる。先行技術と比べると本考案に係る傘は操作をしやすく製造も簡易である。また、傘を拡げた状態でも畳んだ状態でも骨組の先端が自動的に同じ平面上に位置するためまとまっていて見た目もよい。本考案の傘が畳まれたときに傘生地が余分に余ることもない。
【考案を実施するための最良の形態】
【００１６】  以下、図面に基づいて本考案の好ましい実施形態を詳述する。
他の目的と本考案の利便性は読者に明白でこれらの目的と利便性は本考案の範囲内である。
本考案の目的及び関連する目的を実現するため、添付図面と照らし合わせて次の説明を読むと、より完全に明らかになるであろう。ただし、図面はもっぱら解説のためのものであって、本考案の範囲を限定するものではなく、この技術に詳しい人物による実施例に対するいかなる修飾や変更も本考案の精神と要旨に逸脱しない。【００１７】  図１から図１３Ｂは、柄軸２０、柄軸２０の下端部に設けられた握柄３０、柄軸２０上に上下にスライド移動可能に設けられたろくろ２０、柄軸２０から伸びる複数の第１の複段式骨組４０、柄軸から伸びる複数の第２の複段式骨組６０、複数の第１の複段式骨組４０及び複数の第２の複段式骨組６０に張られた生地８０を示している。傘１０を拡げたとき、第１の複段式骨組４０は第２の複段式骨組６０よりも長さが長い。【００１８】  図１から図３は伸縮構造の柄軸２０を示している。柄軸２０は第１の複段式骨組４０、第２の複段式骨組６０、そして生地８０を支持できる伸縮構造によって構成される。柄軸２０は傘の構造として知られる固定式、伸縮式等によって構成されている。【００１９】  図１から図３に示されるように、握柄３０は柄軸２０の下端部に設けられている。
図６に示すように、握柄３０は縦長形状である。握柄３０は楕円形、長円形、三角形、四角形、多角形等の様々な形状であることが考えられるが、これらの形状に限定されるものではない。長く伸びた生地８０を効果的に使えるようにするため、握柄３０と生地８０の長く伸びる方向は平行であることが好ましい。握柄３０はゴム樹脂、プラスチック、木等の素材でできたものが考えられるが、これらの素材に限定されるものではない。【００２０】  図１と図２が示すように、複数の第１の複段式骨組４０と複数の第２の複段式骨組６０は柄軸２０の上端とろくろ２２に枢設されている。ろくろ２２は傘１０を拡げるときに、握柄３０から離れるように柄軸２０上を上端部の方向へスライド移動し、傘１０を畳むときには握柄３０の方へ近づくように柄軸２０上を下端部の方向へスライド移動する。【００２１】  図１、図４（ａ）、図５（ａ）、図７に最も良く示されているように、傘１０を拡げたとき、第１の複段式骨組４０は第２の複段式骨組６０よりも長さが長い。図２に示すように、第１の複段式骨組４０、第２の複段式骨組５０が畳まれたとき、第１の複段式骨組４０と第２の複段式骨組６０の端部は同一平面上に位置する。【００２２】  第１の複段式骨組４０は、３つの骨組部分、すなわち第１の内骨組４２の部分、第１の中骨組４４の部分、第１の外骨４６の部分によって構成されている。第１の内骨組４２の部分は、柄軸２０の上端部に枢設された第１の節骨５０、第１の支骨５１、第１の支骨５１と第１の調整骨５３の端部に枢設された第１の連桿５２を備えている。第１の支骨５１はろくろ２２に枢設されているとともに、第１の節骨５０の中間に枢設されている。関連技術に詳しい人物であれば、第１の内骨組４２の部分、第１の中骨組４４の部分、第１の外骨４６の部分は互いに枢設されているとともに柄軸２０に枢設され、第１の複段式骨組４０がそれぞれの枢設点で回転し、折れ曲がることは理解できるはずである。【００２３】  第１の中骨組４４の部分は、第１の内骨組４２の部分に枢設された第１の調整骨５３、同じく第１の内骨組４２の部分に枢設された第１の引張骨５４を備え、第１の引張骨５４は第１の複段式骨組４０を伸ばし、傘１０を拡げた状態を維持する。よりコンパクトな構造にするため、第１の調整骨５３は第１の引張骨５４を収容するためにＵ字型形状であることが好ましい。第１の外骨４６の部分は第１の半球状外骨５５を備えている。第１の半球状外骨５５は第１の調整骨５３、第１の引張骨５４、生地８０の外周又は外縁部に枢設され、使用者が傘１０を拡げたとき、生地８０をぴんと張る。【００２４】  第２の複段式骨組６０は２つの骨組部分、すなわち第２の内骨組６２の部分と第２の外骨６４の部分から構成されている。第２の内骨組６２は、ろくろ２２と第２の半球状外骨７３に枢設された第２の節骨７０、第２の支骨７１、第２の支骨７１と第２の半球状外骨７３の端部に枢設された第２の連桿７２から構成されている。第２の支骨７１は柄軸２０の上端部に枢設されているとともに、第２の節骨７０の中間に枢設されている。関連技術に詳しい人物であれば、第２の内骨組６２の部分、第２の外骨６４の部分は互いに枢設されているとともに柄軸２０��枢設され、第２の複段式骨組６０がそれぞれの枢設点で回転し、折れ曲がることは理解できるはずである。【００２５】  第２の外骨６４の部分は第２の半球状外骨７３を備えている。第２の半球状外骨７３は、第２の節骨７０、第２の連桿７２、生地８０の外周又は外縁部に枢設されている。【００２６】  生地８０はナイロン、ポリエステル、綿、キャンバス地、プラスチック等の素材でできたものが考えられるが、これらの素材に限定されるものではない。生地８０は第１の枢支ピン５６、第２の枢支ピン７４、第１の節骨５０、第１の調整骨５３、第２の節骨７０、第２の支骨７１に縫着されることによって第１の複段式骨組４０と第２の複段式骨組６０に張設され、傘１０が開閉されるときに第１の複段式骨組４０と第２の複段式骨組６０に生地８０が付着するようにする。生地８０が第１の複段式骨組４０と第２の複段式骨組６０に張設されることによって畳みやすくなり、外側へ畳まれる生地が余ることを防ぐことができる。【００２７】  図７から図１０に示すように、柄軸２０を中心として対向する側に伸びる複数の第１の複段式骨組４０と、柄軸２０を中心として対向する側に伸びる複数の第２の複段式骨組６０を備えることが好ましい。この構造は使用者の身体の前後を雨から濡れることを防ぐのに役立つ。生地８０は第１の複段式骨組４０と第２の複段式骨組６０の様式に合うように形成される。第１の半球状外骨５５と第２の半球状外骨７３は長さが略同一であるため、傘１０を畳んだときに第１の半球状外骨５５と第２の半球状外骨７３の端部は自動的に同一平面上に位置する。【００２８】  本考案の使用方法は従来の折り畳み傘と同様である。ろくろ２２が柄軸２０上を上端部方向へスライド移動すると、第１の複段式骨組４０と第２の複段式骨組６０は外側へ伸びる。第１の複段式骨組４０と第２の複段式骨組６０が外側へ伸びることによって生地８０は平面図上楕円形に拡がる。すなわち、傘１０を拡げたとき、第１の複段式骨組４０は第１の方向又は第２の方向の方面に長く伸びて、傘１０が第１の方向及び第２の方向に長い縦長構造を形成する。その結果、傘１０の平面図上の形状は楕円形となる。傘１０を畳むためには、反対にろくろ２２を握柄３０の方向へスライド移動する。それによって第１の複段式骨組４０と第２の複段式骨組６０は柄軸２０側へ畳まれ、生地８０も第１の複段式骨組４０と第２の複段式骨組６０に沿って畳まれる。【００２９】  図１１は第１の複段式骨組４０が柄軸２０を中心に第１の方向、第２の方向、そして第４の方向の方面に向かって伸び、第２の複段式骨組６０が第４の方向の反対方向である第３の方向の方面に向かって伸びた他の実施形態を示している。第１の方向は使用者の前方、第２の方向は使用者の後方、第３の方向は使用者の左側方向、第４の方向は使用者の右側方向である。この構造は使用者が片方の手で柄軸２０を持ったとき、肩の一部が濡れることを防ぐことができる。この傘の機能は前述したものと同様である。【００３０】  関連技術に詳しい人物であれば、本考案に係る傘は、第１の複段式骨組４０に含まれる骨組部分の数が３以上、第２の複段式骨組６０に含まれる骨組部分の数が２以上となる複段式骨組を有してもよいこと��理解できるはずである。図１２Ａと図１２Ｂは、第１の複段式骨組４０が４つの骨組部分を含み、第２の複段式骨組６０が２つの骨組部分を含む他の実施形態を示したものである。第２の複段式骨組６０において骨組部分の数が３つの折り畳み傘も本考案の応用範囲内である。前述の図１２Ａと図１２Ｂと同様に、図１３Ａと図１３Ｂは第１の複段式骨組４０が４つの骨組部分を含み、第２の複段式骨組６０が３つの骨組部分を含む他の実施形態を示したものである。これらの傘の機能は前述したものと同様である。【００３１】  以上のように、本実施形態に係る傘１０によれば、従来の傘の尚不便な点を改善するのは読者に明白であろう。傘１０は使いやすく、持ち運びしやすく、小さな形状にすることが可能である。さらに、傘１０の形状を、使用者の身体の前後を雨、みぞれ、または雪で濡れることを防ぐ形状とすることができる。従来と比べると、傘１０は操作しやすく製造も簡易である。また、傘１０を拡げた状態でも畳んだ状態でも骨組の先端が自動的に同じ平面上に位置するため、まとまっていて見た目もよい。傘１０が畳まれたときに生地が余分に余ることもない。コンパクトに折り畳める傘１０を提供できる。使用者の足下前後が雨から濡れることを防ぐ傘１０を提供できる。手動、または自動で開閉することが出来る傘１０を提供できる。【００３２】  なお、本考案は上述した実地形態に限定されるものではなく、その要旨を逸脱しない範囲内で適宜変更してもよい。即ち、前述の実施形態は本考案の原理とその効果を明らかにする意図のものにおいてなされたものであり、本考案はこの実施形態に限定して狭義に解釈されるものではない。この技術に詳しい人物による前述の実施形態に対するいかなる修飾や変更も本考案の精神と要旨に逸脱しない範囲で、適宜変更して実施できる。例えば、異なった形状の第１の複段式骨組４０、第２の複段式骨組６０を用いることによって、様々な構成の生地８０とすることができる。
【図面の簡単な説明】
【００３３】
【図１】本考案の実施形態に係る傘を拡げた状態を示す側面透視図である。
【図２】本考案の実施形態に係る傘を畳んだ状態を示す側面透視図である。
【図３】本考案の実施形態に係る傘の立体斜視図である。
【図４】（ａ）本考案の実施形態に係る傘を拡げた状態の第１の複段式骨組を示す立面図である。（ｂ）本考案の実施形態に係る傘を畳んだ状態の第１の複段式骨組を示す立面図である。
【図５】（ａ）本考案の実施形態に係る傘を拡げた状態の第２の複段式骨組を示す立面図である。（ｂ）本考案の実施形態に係る傘を畳んだ状態の第２の複段式骨組を示す立面図である。
【図６】図２の１１−１１線で切断した断面図である。
【図７】本考案の実施形態に係る傘を上から見た平面図である。
【図８】本考案の他の実施形態に係る傘を上から見た平面図である。
【図９】本考案の他の実施形態に係る傘を上から見た平面図である。
【図１０】本考案の他の実施形態に係る傘を上から見た平面図である。
【図１１】本考案の他の実施形態の傘であり、中心がずれた右側型の傘を上から見た平面図である。
【図１２Ａ】本考案の他の実施形態に係る傘の拡げた状態を示す側面透視図である。
【図１２Ｂ】図１２Ａの傘の畳んだ状態を示す側面透視図である。
【図１３Ａ】本考案の他の実施形態に係る傘の拡げた状態を示す側面透視図である。
【図１３Ｂ】図１３Ａの傘の畳んだ状態を示す側面透視図である。
【符号の説明】
【００３４】１０  傘
２０  柄軸
２２  ろくろ
３０  握柄
４０  第１の複段式骨組
４２  第１の内骨組
４４  第１の中骨組
４６  第１の外骨
５０  第１の節骨
５１  第１の支骨
５２  第１の連桿
５３  第１の調整骨
５４  第１の引張骨
５５  第１の半球状外骨
５６  第１の枢支ピン
６０  第２の複段式骨組
６２  第２の内骨組
６４  第２の外骨
７０  第２の節骨
７１  第２の支骨
７２  第２の連桿
７３  第２の半球状外骨
７４  第２の枢支ピン
８０  生地
【図１】
0003149240.tif 000003
【図２】
0003149240.tif 000004
【図３】
0003149240.tif 000005
【図４】
0003149240.tif 000006
【図５】
0003149240.tif 000007
【図６】
0003149240.tif 000008
【図７】
0003149240.tif 000009
【図８】
0003149240.tif 000010
【図９】
0003149240.tif 000011
【図１０】
0003149240.tif 000012
【図１１】
0003149240.tif 000013
【図１２Ａ】
0003149240.tif 000014
【図１２Ｂ】
0003149240.tif 000015
【図１３Ａ】
0003149240.tif 000016
【図１３Ｂ】
0003149240.tif 000017